(57)【要約】【課題】視聴者が視聴中はディスプレイに表示されているコンテンツの切替えを抑制する。【解決手段】情報提示装置１であって、ディスプレイ２に表示されているコンテンツを視聴者が視聴中か否かを判別し、視聴中と判別した場合は視聴中フラグを記憶手段１３に設定するとともに、視聴中でないと判別した場合は記憶手段１３の視聴中フラグを削除する視聴判定手段１１と、所定の順番で複数のコンテンツをディスプレイ２に表示する表示制御手段１２とを備え、表示制御手段１２は、各コンテンツの表示が終了する毎に記憶手段１３を参照し、視聴中フラグが設定されている場合は当該表示が終了したコンテンツを再度ディスプレイ２に表示し、視聴中フラグが設定されていない場合は次の順番のコンテンツをディスプレイ２に表示する。【選択図】図１
2012083669.tif 000002
【特許請求の範囲】
【請求項１】
コンテンツをディスプレイに表示する情報提示装置であって、
前記ディスプレイに表示されているコンテンツを視聴者が視聴中か否かを判別し、視聴中と判別した場合は視聴中フラグを記憶手段に設定するとともに、視聴中でないと判別した場合は前記記憶手段の視聴中フラグを削除する視聴判定手段と、
所定の順番で複数のコンテンツを前記ディスプレイに表示する表示制御手段と、を備え、
前記表示制御手段は、各コンテンツの表示が終了する毎に前記記憶手段を参照し、前記視聴中フラグが設定されている場合は当該表示が終了したコンテンツを再度ディスプレイに表示し、前記視聴中フラグが設定されていない場合は次の順番のコンテンツをディスプレイに表示すること
を特徴とする情報提示装置。
【請求項２】
請求項１記載の情報提示装置であって、
前記視聴判定手段は、前記ディスプレイの前方の映像を撮影するビデオカメラが撮影した映像から人影を抽出し、抽出した人影の位置の変化量を用いて、ディスプレイに表示されているコンテンツを視聴者が視聴中か否かを判別すること
を特徴とする情報提示装置。
【請求項３】
請求項２記載の情報提示装置であって、
前記視聴判定手段は、前記抽出した人影の位置の変化量が所定の閾値以下の場合、または、前記変化量が前記閾値を超える場合であって前記人影の位置がディスプレイに向かって移動している場合、ディスプレイに表示されているコンテンツを視聴中であると判別すること
を特徴とする情報提示装置。
【請求項４】
コンテンツをディスプレイに表示する情報提示方法であって、
コンピュータは、
視聴中フラグを記憶する記憶部を備え、
前記ディスプレイに表示されているコンテンツを視聴者が視聴中か否かを判別し、視聴中と判別した場合は視聴中フラグを前記記憶部に設定するとともに、視聴中でないと判別した場合は前記記憶部の視聴中フラグを削除する視聴判定ステップと、
所定の順番で複数のコンテンツを前記ディスプレイに表示する表示制御ステップと、を行い、
前記表示制御ステップは、各コンテンツの表示が終了する毎に前記記憶部を参照し、前記視聴中フラグが設定されている場合は当該表示が終了したコンテンツを再度ディスプレイに表示し、前記視聴中フラグが設定されていない場合は次の順番のコンテンツをディスプレイに表示すること
を特徴とする情報提示方法。
【請求項５】
請求項４記載の情報提示方法であって、
前記視聴判定ステップは、前記ディスプレイの前方の映像を撮影するビデオカメラが撮影した映像から人影を抽出し、抽出した人影の位置の変化量を用いて、ディスプレイに表示されているコンテンツを視聴者が視聴中か否かを判別すること
を特徴とする情報提示方法。
【請求項６】
請求項５記載の情報提示方法であって、
前記視聴判定ステップは、前記抽出した人影の位置の変化量が所定の閾値以下の場合、または、前記変化量が前記閾値を超える場合であって前記人影の位置がディスプレイに向かって移動している場合、ディスプレイに表示されているコンテンツを視聴中であると判別すること
を特徴とする情報提示方法。
【請求項７】
請求項１から請求項３のいずれか１項に記載の情報提示装置としてコンピュータを機能させるための情報提示プログラム。
【発明の詳細な説明】
【技術分野】
【０００１】
本発明は、コンテンツの表示を制御する情報提示装置、情報提示方法および情報提示プログラムに関する。
【背景技術】
【０００２】
デジタルサイネージは、ディスプレイを活用して映像や情報を提示する広告媒体であり、店頭や街頭において、映像によって商品やサービスを訴求する。デジタルサイネージは、駅や空港や商業施設などの公共空間に多数設置されており、静止画像や数十秒〜数分程度の映像などの複数のコンテンツを繰返し再生する。
【０００３】
デジタルサイネージの多くは、コンテンツを視聴する人の位置や動きに関係なく、予め定められた順番と時間でただ表示するだけであるが、人の位置に合わせて表示の輝度や大きさを変化させて見やすさを向上させる技術が研究されている（例えば、特許文献１）。
【先行技術文献】
【特許文献】
【０００４】
【特許文献１】特開2007-133305号公報
【発明の概要】
【発明が解決しようとする課題】
【０００５】
コンテンツを繰返し表示するだけのデジタルサイネージには、次のような課題がある。すなわち、視聴者がコンテンツから情報を得ようとしても、視聴が完了しないうちに次のコンテンツが表示されてしまい、視聴者は情報を十分に取得できない場合がある。また、視聴者は途中から映像のコンテンツを視聴する可能性が高いが、途中からのコンテンツに対して視聴者が興味を持ち、改めて最初から見たいと思っても、次は別のコンテンツが再生されてしまい、興味を持ったコンテンツを最初から見るには暫く待たなくてはならない。
【０００６】
特許文献１などの技術では、このような課題については考慮されていなく、上記課題を解決することができない。
【０００７】
本発明は、上記事情に鑑みてなされたものであり、本発明の目的は、視聴者が視聴中はディスプレイに表示されているコンテンツの切替えを抑制可能な情報提示装置、情報提示方法および表示情報提供プログラムを提供することにある。
【課題を解決するための手段】
【０００８】
上記目的を達成するため、本発明は、コンテンツをディスプレイに表示する情報提示装置であって、前記ディスプレイに表示されているコンテンツを視聴者が視聴中か否かを判別し、視聴中と判別した場合は視聴中フラグを記憶手段に設定するとともに、視聴中でないと判別した場合は前記記憶手段の視聴中フラグを削除する視聴判定手段と、所定の順番で複数のコンテンツを前記ディスプレイに表示する表示制御手段と、を備え、前記表示制御手段は、各コンテンツの表示が終了する毎に前記記憶手段を参照し、前記視聴中フラグが設定されている場合は当該表示が終了したコンテンツを再度ディスプレイに表示し、前記視聴中フラグが設定されていない場合は次の順番のコンテンツをディスプレイに表示する。
【０００９】
本発明は、コンテンツをディスプレイに表示する情報提示方法であって、コンピュータは、視聴中フラグを記憶する記憶部を備え、前記ディスプレイに表示されているコンテンツを視聴者が視聴中か否かを判別し、視聴中と判別した場合は視聴中フラグを前記記憶部に設定するとともに、視聴中でないと判別した場合は前記記憶部の視聴中フラグを削除する視聴判定ステップと、所定の順番で複数のコンテンツを前記ディスプレイに表示する表示制御ステップと、を行い、前記表示制御ステップは、各コンテンツの表示が終了する毎に前記記憶部を参照し、前記視聴中フラグが設定されている場合は当該表示が終了したコンテンツを再度ディスプレイに表示し、前記視聴中フラグが設定されていない場合は次の順番のコンテンツをディスプレイに表示する。
【００１０】
本発明は、前記情報提示装置としてコンピュータを機能させるための周情報提示プログラムである。
【発明の効果】
【００１１】
本発明によれば、視聴者が視聴中はディスプレイに表示されているコンテンツの切替えを抑制可能な情報提示装置、情報提示方法および表示情報提供プログラムを提供することができる。
【図面の簡単な説明】
【００１２】
【図１】本発明の実施形態に係る情報提供システムの構成図である。
【図２】ビデオカメラの設置位置の例を説明するための図である。
【図３】視聴判定部の動作を示すフローチャートの一例である。
【図４】差分画像の一例を示すものである。
【図５】表示制御部の動作を示すフローチャートの一例である。
【発明を実施するための形態】
【００１３】
以下、本発明の実施の形態について、図面を参照して説明する。
【００１４】
図１は、本発明の実施形態に係る情報提示システムの全体構成図である。本実施形態の情報提示システムは、情報提示装置１と、当該情報提示装置１に接続されるディスプレイ２と、ビデオカメラ３とを有する。
【００１５】
図示する情報提示装置１は、視聴判定部１１と、表示制御部１２と、フラグ記憶部１３と、コンテンツ記憶部１４とを備える。視聴判定部１１は、視聴者がディスプレイ２に表示されているコンテンツを視聴中か否かを判別し、視聴中と判別した場合は視聴中フラグをフラグ記憶部１３に設定する。また、視聴判定部１１は、視聴中でないと判別した場合は視聴中フラグを削除する。
【００１６】
表示制御部１２は、コンテンツ記憶部１４に記憶されたコンテンツリストの順番に従って、コンテンツ記憶部１４に記憶された複数のコンテンツをディスプレイ２に表示する。また、表示制御部１２は、視聴中フラグが設定されている間は、ディスプレイ２に表示するコンテンツの切替えを抑制する。すなわち、コンテンツの表示が終了する毎にフラグ記憶部１３を参照し、視聴中フラグが設定されている場合は、再生が終了したコンテンツを再度ディスプレイ２に表示する。
【００１７】
フラグ記憶部１３には、視聴判定部１１により視聴中フラグが設定される。視聴中フラグは、ディスプレイ２に表示されているコンテンツを視聴中の視聴者が存在するか否かを示すフラグである。
【００１８】
コンテンツ記憶部１４には、少なくとも１つのコンテンツと、コンテンツリストとが記憶・保持される。コンテンツは、静止画や動画などであり、複数であって良い。コンテンツリストには、コンテンツ記憶部１４に記憶される各コンテンツに関する情報のリストであって、各コンテンツのコンテンツ番号（表示順番）と、コンテンツ名と、表示時間とを含む。コンテンツ番号は、コンテンツの再生・表示の順序を示すものである。表示時間については、コンテンツが静止画の場合にのみ設定される情報である。
【００１９】
なお、図１に示す情報提示装置１は、１つのサーバで構成されていても、複数のサーバで構成されていてもよい。
【００２０】
ディスプレイ（表示装置）２は、例えばデジタルサイネージディスプレイであって、プラズマディスプレイ、ＬＣＤ、ＬＥＤ、映像プロジェクター等を用いることができ、表示制御部１２の制御に従って、動画、静止画などのコンテンツが再生・表示される。
【００２１】
ビデオカメラ３は、ディスプレイ２の前方（視聴者がディスプレイを視聴する領域）の映像を撮影し、撮影した映像を情報提示装置１に入力する。
【００２２】
情報提示装置１は、例えば、ＣＰＵと、メモリと、ＨＤＤ等の外部記憶装置と、入力装置と、出力装置とを備えた汎用的なコンピュータシステムを用いることができる。このコンピュータシステムにおいて、ＣＰＵがメモリ上にロードされた情報提示装置１用のプログラムを実行することにより、情報提示装置１の各機能が実現される。
【００２３】
また、情報提示装置１用のプログラムは、ハードディスク、フレキシブルディスク、ＣＤ−ＲＯＭ、ＭＯ、ＤＶＤ−ＲＯＭなどのコンピュータ読取り可能な記録媒体に記憶することも、ネットワークを介して配信することもできる。
【００２４】
次に、情報提示装置１の視聴判定部１１の動作について説明する。
【００２５】
視聴判定部１１は、前述のとおり、視聴者がディスプレイ２に表示されているコンテンツを視聴中か否かを判定する。この判定には、視聴者の視線方向を利用する方法なども考えられるが、本実施形態では、視聴者の位置の変化を追跡して、視聴者の動きが小さい場合、または視聴者がディスプレイ２の方向に向かって移動している場合に、視聴中と見做すことにする。
【００２６】
視聴者の位置の変化を追跡には、ビデオカメラを利用したものや、レーザースキャナを利用したものなどが考えられるが、ここではビデオカメラが撮影した映像（画像）から視聴者の位置を捕捉する場合を例として説明する。
【００２７】
図２は、ビデオカメラ３の設置位置の例である。ビデオカメラ３は、ディスプレイ２の上部に設置して、ディスプレイ２の前方を上から撮影し、撮影した映像を情報提示装置１に入力する。なお、ビデオカメラ３は、ディスプレイ２が稼働している間（すなわち、コンテンツを表示している間）、常時、ディスプレイ２の前方を撮影し、情報提示装置１に入力する。
【００２８】
図３は、視聴判定部１１の動作を示すフローチャートの一例である。映像から人影を抽出するには様々な方法が考えられるが、ここでは例として背景差分法を用いる。すなわち、あらかじめディスプレイ２の前に誰もいないときの背景画像をビデオカメラ３で撮影し、情報提示装置１の図示しない記憶部に保存しておく。
【００２９】
そして、視聴判定部１１は、ビデオカメラ３から入力された現在の入力画像（フレーム）と、記憶部に保存してある背景画像との差分画像を生成し、当該差分画像で抽出された入力画像と背景画像との差分領域を人影領域とする（Ｓ１１）。図４は、差分画像４２の一例を示すものであり、差分領域として抽出された人影領域４１が現れている。
【００３０】
差分画像に人影領域が存在する場合（Ｓ１２：ＹＥＳ）、視聴判定部１１は、人影領域の位置を算出する（Ｓ１３）。ここでは、図４に示すように、差分画像に対して座標軸を設定し、人影領域４１の重心（図心）の位置（座標）を算出して人影位置とする。なお、ディスプレイ２は、図４に示すようにx軸と平行する位置に設置されるものとする。
【００３１】
そして、視聴判定部１１は、前回算出した人影位置と、今回算出した人影位置との変化量（差）を算出する。具体的には、今回算出した人影位置をＡ（ｘ1,ｙ１）とし、前回算出した人影位置をＢ（ｘ２，ｙ２）とした場合、座標平面上のＡ−Ｂ間の距離である変化量は、以下の式により算出することができる。Ｓ１３で算出した変化量は、図示しない記憶部に記憶しておき、次の処理で前回算出した人影位置として用いる。
【００３２】
ＡＢ＝√（ｘ２−ｘ１）２＋（ｙ２−ｙ１）２
視聴判定部１１は、算出した変化量の絶対値が所定の閾値Ｄ以下の場合（Ｓ１４：ＮＯ）、視聴者の動きが小さいため視聴中と判定してフラグ記憶部１３に視聴中フラグを設定する（Ｓ１６）。閾値Ｄは、図示しない記憶部にあらかじめ記憶されているものとする。なお、フラグ記憶部１３に視聴中フラグが既に設定されている場合は、視聴判定部１１はフラグ記憶部１３を更新せずに、視聴中フラグを立てたままの状態とする。
【００３３】
また、算出した変化量の絶対値が所定の閾値Ｄを超えている場合（Ｓ１４：ＹＥＳ）、視聴判定部１１は、視聴者がディスプレイ２の方向に移動しているか否か、すなわち人影位置の変化量のｙ成分が所定の閾値Ｙを超えているか否かを判別する（Ｓ１５）。具体的には、今回算出した人影位置をＡ（ｘ1,ｙ１）とし、前回算出した人影位置をＢ（ｘ２，ｙ２）とした場合、ｙ成分の変化量はｙ２−ｙ１である。閾値Ｙは、図示しない記憶部にあらかじめ記憶されているものとする。
【００３４】
なお、図４に示すように差分画像４２の左上を原点（０，０）とした場合、ｙ成分の変化量が正の値となった場合は視聴者はディスプレイ２に近づく方向に移動しており、ｙ成分の変化量が負の値となった場合は視聴者はディスプレイ２から遠ざかる方向に移動していることとなる。したがって、差分画像４２の左上を原点（０，０）とした場合、閾値Ｙは正の値である。
【００３５】
変化量のｙ成分が所定の閾値Ｙを超えている場合（Ｓ１５：ＹＥＳ）、視聴判定部１１は、視聴中と判定し、フラグ記憶部１３に視聴中フラグを設定する（Ｓ１６）。すなわち、視聴者の動きが大きい場合であっても、ディスプレイ２に向かって移動している場合はコンテンツを視聴するために視聴者が動いていると見做し、視聴中であると判別する。
【００３６】
一方、差分画像４２に人影領域４１が抽出されない場合（Ｓ１２：ＮＯ）、および変化量のｙ成分が所定の閾値Ｙ以下の場合（Ｓ１５：ＮＯ）、視聴判定部１１は、視聴中ではないと判定し、フラグ記憶部１３に視聴中フラグが設定されている場合は当該視聴中フラグを削除する（Ｓ１７）。フラグ記憶部１３に視聴中フラグが設定されていない場合は、視聴判定部１１はフラグ記憶部１３を更新せずに、視聴中フラグがないままの状態とする。
【００３７】
Ｓ１６またはＳ１７の後、Ｓ１１に戻り、視聴判定部１１は、ビデオカメラ３から入力された次の入力画像（フレーム）を入力し、以降の処理を繰り返し行う。なお、ビデオカメラ３から入力される全ての入力画像についてＳ１１からＳ１７の処理を行っても、あるいは、所定の時間間隔でサンプリングされた入力画像についてのみＳ１１からＳ１７の処理を行うこととしてもよい。
【００３８】
次に、情報提示装置１の表示制御部１２の動作について説明する。
【００３９】
図５は、表示制御部１２の動作を示すフローチャートの一例である。表示制御部１２は、コンテンツ記憶部１４のコンテンツリストを参照し、最初（例えばコンテンツ番号が１番）のコンテンツを特定し、特定したコンテンツをコンテンツ記憶部１４から選択する（Ｓ２１）。
【００４０】
選択したコンテンツが静止画の場合（Ｓ２２：ＮＯ）、表示制御部１２は、当該コンテンツをコンテンツリストに設定された対応する表示時間（例えばｔ秒間）だけ、ディスプレイ２で再生・表示する（Ｓ２３）。表示時間が経過した後、表示制御部１２は、フラグ記憶部１３を参照し、視聴中フラグが設定されている場合は（Ｓ２４：ＹＥＳ）、Ｓ２３に戻り、Ｓ２１で選択したコンテンツを前記表示時間だけ繰り返し再生・表示する（Ｓ２３）。すなわち、次の表示順のコンテンツに切替えることなく、同じコンテンツを再度、再生・表示する。
【００４１】
選択したコンテンツが動画の場合（Ｓ２２：ＹＥＳ）、表示制御部１２は、当該コンテンツを最後までディスプレイ２で再生・表示する（Ｓ２５）。コンテンツの再生が終了後、表示制御部１２は、フラグ記憶部１３を参照し、視聴中フラグが設定されている場合は（Ｓ２６：ＹＥＳ）、Ｓ２５に戻り、Ｓ２１で選択したコンテンツを繰り返し再生・表示する（Ｓ２５）。すなわち、次の表示順のコンテンツに切替えることなく、同じコンテンツを再度、再生・表示する。
【００４２】
一方、フラグ記憶部１３に視聴中フラグが設定されてない場合（Ｓ２４：ＮＯ、Ｓ２６：ＮＯ）、表示制御部１２は、コンテンツリストを参照し、Ｓ２１で選択したコンテンツのコンテンツ番号（表示順番）が最後か否かを判別する。最後のコンテンツの場合（Ｓ２７：ＹＥＳ）、Ｓ２１に戻り、コンテンツリストの最初のコンテンツを選択し以降の処理を行う。最後のコンテンツでない場合（Ｓ２７：ＮＯ）、表示制御部１２は、コンテンツリストの次の表示順のコンテンツを選択し、Ｓ２２以降の処理を行う。
【００４３】
以上説明した本実施形態では、ディスプレイに表示されているコンテンツを視聴者が視聴中か否かを判別し、視聴中と判別した場合は視聴中フラグをブラグ記憶部に設定し、視聴中でないと判別した場合はフラグ記憶部の視聴中フラグを削除する。そして、フラグ記憶部に視聴中フラグが設定されている場合、次のコンテンツに移行せず、同じコンテンツを再度表示する。これにより、本実施形態では、視聴者がコンテンツを視聴中には、次のコンテンツへの表示切替を抑制することができる。
【００４４】
したがって、視聴者は、視聴中のコンテンツを繰り返し視聴することができるため、コンテンツの情報を十分に取得することができる。また、視聴者がコンテンツの途中から視聴した場合であっても、当該コンテンツの終了後に直ぐに同じコンテンツが最初から再生・表示されるため、視聴者の利便性を向上することができる。
【００４５】
また、本実施形態では、ディスプレイの前方の映像を撮影するビデオカメラが撮影した映像から人影を抽出し、抽出した人影の位置の変化量を用いて、ディスプレイに表示されているコンテンツを視聴者が視聴中か否かを判別する。これにより、比較的簡易な方法で、コンテンツを視聴中か否かを判別することができる。
【００４６】
また、本実施形態では、抽出した人影の位置の変化量が所定の閾値以下の場合、または、変化量が閾値を超える場合であって人影の位置がディスプレイに向かって移動している場合、ディスプレイに表示されているコンテンツを視聴中であると判別する。これにより、適切にコンテンツを視聴中か否かを判別することができる。
【００４７】
なお、本発明は上記実施形態に限定されるものではなく、その要旨の範囲内で数々の変形が可能である。
【符号の説明】
【００４８】
１  ：情報提示装置
１１：視聴判定部
１２：表示制御部
１３：フラグ記憶部
１４：コンテンツ記憶部
１５：地図情報記憶部
２  ：ディスプレイ
３  ：ビデオカメラ
【図１】
2012083669.tif 000003
【図２】
2012083669.tif 000004
【図３】
2012083669.tif 000005
【図４】
2012083669.tif 000006
【図５】
2012083669.tif 000007